(57)【要約】【課題】汚れた粘着面に触れずにツマミを回して連続に粘着テープを巻取り、巻取り終了時には、ワンタッチで使用済み粘着テープの塊を外せ、巻取りロールに新たな粘着テープの接続が簡単に行えること。【解決手段】連続式粘着クリーナーは、転がして清掃するための円筒回転体の内部に、共に着脱可能な粘着テープロールと巻取りロールとを配置し、さらに、引き出された粘着テープが円筒回転体の外周部をスムースに通るためにローラーを設け、巻取りロールには粘着テープロールから引き出された接続子付き粘着テープをワンタッチで着脱できる機構を備えている。【選択図】図１
2013022339.tif 000002
【特許請求の範囲】
【請求項１】
円筒回転体２の側面ある円板A２２に、把手軸９２を挿入するための円筒回転体２の中心軸受９１と、粘着テープロール３のための挿入軸Ａ２４と、巻取りロール７のための挿入軸Ｂ２５と、粘着面同士が付着させないための隔壁６と、引き出すテープ方向を変えるためのローラーＡ４及びローラーＢ５とを垂直に固設し、前記粘着テープロール３と巻取りロール７は各々の挿入軸２４、２５に遊嵌し、粘着テープロール３の始端には巻取りロール７に簡単に接続するための接続子３１を備え、巻取りロール７には巻き取られた使用済み粘着テープ３２をワンタッチで外せるスリット７５を備え、清掃時には弛み防止の固定板８を備えたことを特徴とする連続式粘着クリーナー１。
【発明の詳細な説明】
【技術分野】
【０００１】
本発明は、粘着テープにゴミ等を付着させて清掃する粘着クリーナーに関するものである。
【背景技術】
【０００２】
粘着テープが回転軸に多層に巻きつられた粘着クリーナーが知られている。かかる粘着クリーナーは掃除面の上を転がしてゴミを付着して除去するものであるが、粘着面にゴミが付着して粘着力が低下した時、外周部の粘着テープを剥がすことになり、ゴミで汚れた粘着面を手で触ることは不衛生である問題があった。
【０００３】
一方、かかるクリーナーの不衛生問題を解決するために、巻取り式の粘着クリーナー、特許文献１及び特許文献２が報告されているが、機能部が増えたことにより、新たな粘着テープの装填時や使用済みの粘着テープの廃棄時には、取扱いが簡単でないことと製品コストが高いという問題がある。又、清掃の際、粘着テープにひっぱり張力が働き粘着テープが弛んでくることなどの問題もある。
【先行技術文献】
【特許文献】
【０００４】
【特許文献１】特開平７−１０００９０号公報
【特許文献２】特開２００２−７８６６４号公報
【発明の概要】
【発明が解決しようとする課題】
【０００５】
本発明は、上記の問題に鑑みなされたものであり、構造を単純に無駄な廃棄物品を少ないこと、新たな粘着テープを簡単に装着できること、巻取りロールに粘着テープが簡単に接続できること、巻取りロールのツマミを回して新たな粘着面を何時でも出せること、使用済み粘着テープを簡単に巻取りロールから外し廃棄できること、および掃除面を転がす時は粘着テープを弛ませないことを目的とする。
【課題を解決するための手段】
【０００６】
上記課題を解決するために、本発明は、円筒回転体２の側面ある円板A２２に、把手軸９２を挿入するための円筒回転体２の中心軸受９１と、粘着テープロール３のための挿入軸Ａ２４と、巻取りロール７のための挿入軸Ｂ２５と、粘着面同士が付着させないための隔壁６と、引き出すテープ方向を変えるためのローラーＡ４及びローラーＢ５とを垂直に固設し、前記粘着テープロール３と巻取りロール７は各々の挿入軸２４、２５に遊嵌し、粘着テープロール３の始端には巻取りロール７に簡単に接続するための接続子３１を備え、巻取りロール７には巻き取られた使用済み粘着テープ３２をワンタッチで外せるスリット７５を備え、清掃時には弛み防止の固定板８を備えたことを特徴とする。
【０００７】
かかる連続式粘着クリーナーでは、清掃前に新しい粘着テープロールを円筒回転体の挿入軸に挿入し、粘着テープの始端部の接続子を引っ張ることで粘着テープを引き出し、ローラーＡ及びＢと円筒回転体の外周部とを経由し、接続子を巻取りロールのスリットに差し込み、その後、巻取りロールの円筒部を円筒回転体の挿入軸に挿入する。その結果、巻取りロールの円筒軸に固設してあるツマミを回すことで粘着テープロールからの粘着テープを必要量だけ巻き取ることが出来る。
【０００８】
巻き取る際、粘着テープ同士が付着させないために、粘着テープの付着しにくい材質の隔壁、又は、パラフィン紙、シリコンシート、等で被覆された隔壁を各挿入軸とローラーＡ及びＢとの間に固設する。
【０００９】
また、巻取りロールが粘着テープを全て巻き取り、使用済み粘着テープを廃棄する場合は、粘着テープロールと巻き取りロールが粘着テープで繋がり一体化している状態のまま、円筒回転体の各々の挿入軸から引き抜いて外し、次に、巻き取られた粘着テープの塊を巻取りロールの円筒軸から滑らして外し、最後に、使用済みの粘着テープの塊とそれに繋がっている粘着テープロールの芯だけになった円筒芯とを廃棄する。
【００１０】
ここで、粘着テープを直接巻き取るための巻取りロールは、巻取り面が滑らかな表面を持ち、粘着テープ幅の約半分の長さのスリットが軸方向にあり、スリットと反対側には巻き取るためのツマミが円筒軸に固設されている。スリットには、粘着テープ始端に付いている接続子を差し込むことにより、簡単に巻取りが出来ることと、スリット部の円筒軸の直径が外力により小さく変形し、簡単に巻き取られた使用済み粘着テープを軸方向に滑らして外すことができることである。また、粘着テープ始端の接続子は、該スリットの幅より少し大きめの棒状のようなものでもよい。ここで、円筒軸に加工されるスリットは一本とは限らず、適度の強度を保持すれば複数本でも良い。
【発明の効果】
【００１１】
本発明の連続式粘着クリーナーは、粘着テープの始端の接続子を巻取りロールのスリットに差し込むことにより簡単に巻き取ることができ、又最後に、巻取りロールに巻き取られた使用済み粘着テープの固まりを簡単に外しせるという利点がある。このようにスリットに絡めて直接巻き取ることは、必要とする部品点数を少なくし、無駄な部材を廃棄しないこと等で、製作コストを低減させる効果がある。
【００１２】
次に、清掃中、清掃面との付着力により円筒回転体の外周面にある粘着テープの張りが弛むのを、ローラーＡとローラーＢとの間に楔状の固定板を差し込むことにより、粘着テープの張りが増し、且つ、粘着テープがローラーＡ及びローラーＢに押し付けられて、弛みが防止される効果がある
【図面の簡単な説明】
【００１３】
【図１】図１は、連続式粘着クリーナーの全体の平面図である。
【図２】図２は、図1の中心の平面断面図である。
【図３】図３は、図1の正面断面図である。
【図４】図４は、巻取りロールと粘着テープロールとが接続された平面図である。
【図５】図５は、図1において、粘着テープロール、巻取りロールを外した状態の円筒回転体の平面断面図である。
【図６】図６は、図1において、粘着テープロール、巻取りロールを外した状態の正面図である。
【発明を実施するための形態】
【００１４】
以下の実施は、円筒回転体２の外周部に粘着テープ３２を導き、粘着テープ３２を巻取りロール７に簡単に接続し、又は、簡単に外せ、ツマミ７２を回して新たな粘着テープ面を出せ、固定板８を挿入することで粘着テープ３２の弛みを抑えること等の目的を、最小の部品で実現した。
【実施例】
【００１５】
本実施例の連続式粘着クリーナー１は、図1、図2、図3に示すように、主として円筒回転体２、粘着テープロール３、巻取りロール７、固定板８及び把手９から構成される。円筒回転体２は、外郭が円筒形状であり、外周部の一部がカットされている円筒体２１にその円筒両端の円板A２２及び円板B２３が固設されている。側面の円板A２２には、把手軸９２が挿入される中心軸受９１、粘着テープロール３の挿入軸A２４、ローラーＡ４，ローラーＢ５、隔壁６、及び巻取りロール７の挿入軸B２５が固設されている。一方、円板B２３には、粘着テープロール３、引き出された粘着テープ３２、及び巻取りロール７を出し入れするための長穴と楕円穴とが設けられている。
【００１６】
ここで、円板B２３は円筒回転体２に固設せずにネジなどで取り外し可能なように設計することもできる。
【００１７】
巻取りロール７は、図４に示すように、スリット７５を設けた円筒軸７１、ツマミ７２、軸受蓋７３から構成される。その円筒軸７１には、スリット７５の幅は粘着テープ紙の厚さより大きく、粘着テープ３２の始端の接続子３１の断面より小さい寸法であり、スリット長さは粘着テープ３２の幅の約半分位の寸法である。スリット７５と反対側の円筒軸７１には軸受蓋７３が遊嵌し、ツマミ７２が固設してある。巻取りロール７のスリット側の円筒軸７１は、図５、図６の挿入軸B２５に遊嵌し、軸受蓋７３は円板B２３にあるピン７６に遊嵌し、挿入軸B２５を中心軸としてツマミ７２を回すことにより、円筒軸７１は挿入軸２５と軸受蓋７３とを軸受けとして回転する。その結果、円筒軸７１のスリット７５に絡めた粘着テープ３２が巻き取られる。
【００１８】
粘着テープロール３は、図４に示すように、円筒空芯３３に粘着テープ３２が粘着面を外側にして巻き取られ、巻き取られた粘着テープ３２のコーナーカットされた最終端には接続子３１がある。ここで、接続子３１の形状は棒状のものでもよい。
【００１９】
以下、清掃に当たっての取り扱いを説明する。新しい粘着テープロール３を用意し、始端の接続子３１を引いて粘着テープ３２を適度な長さにする。それを粘着テープ３２が巻かれている円筒空芯３３を図５、図6に示す楕円穴と長穴とを通して挿入軸A２４に差し込む。さらに、粘着テープ３２の先端部の接続子３１を引いて、ローラーＡ４、円筒体２１の外周、ローラーＢ５及び挿入軸B２５の近くまで移動し、巻取りロール７の円筒軸７１にあるスリット７５に差し込み、粘着テープ３２が接続された状態の巻取りロール７を挿入軸B２５に挿入する。そして、軸受蓋７３にある二つの穴を円板B２３上のピンに挿入する。ツマミ７２を回して粘着テープ３２の張りを強める。次に、図３に示すように、固定板８をローラーＡ４とローラーＢ５との間に差し込むことにより、粘着テープ３２は張りが増し固定される。
把手９を操作して清掃し、円筒回転体２の外周部にある粘着テープ３２の粘着力が低下したら、固定板８を外し、ツマミ７２を回して新たな粘着面を出し、再度、固定板８を差し込む。
【００２０】
巻取りを繰り返した結果、円筒空芯３３に巻かれた粘着テープ３２が無くなったら、使用済み粘着テープ３２を巻き取った状態の巻取りロール７と粘着テープ３２で繋がっている円筒空芯３３を一緒に、円板B２３の長穴と楕円穴とを通して、円筒回転体２から外す。そして、円筒軸７１にある使用済み粘着テープ３２の塊を円筒軸７１方向に押して滑らすことにより巻取りロール７から外し、その塊を円筒空芯３３ともに廃棄する。
【符号の説明】
【００２１】
１    連続式粘着クリーナー
２    円筒回転体
３    粘着テープロール
４    ローラーA
５    ローラーB
６    隔壁
７    巻取りロール
８    固定板
９    把手
２１    円筒体
２２    円板A
２３    円板B
２４    挿入軸A
２５    挿入軸B
３１    接続子
３２    粘着テープ
３３    円筒空芯
７１    円筒軸
７２    ツマミ
７３    軸受蓋
７４    蓋
７５    スリット
７６    ピン
９１    中心軸受
９２    把手軸
９３    把手
【図１】
2013022339.tif 000003
【図２】
2013022339.tif 000004
【図３】
2013022339.tif 000005
【図４】
2013022339.tif 000006
【図５】
2013022339.tif 000007
【図６】
2013022339.tif 000008